(57)【特許請求の範囲】
【請求項１】
分電盤等に内装される回路遮断器において、ケース上面に操作ハンドルを配置し、電源側接続端子及び負荷側接続端子を前記ケース正面の上段及び下段に分けて夫々集中配置し、上段の接続端子上方のケース上面に上段の端子金具まで貫通した第１の試験孔を設けると共に、操作ハンドルを中心に前記試験孔に対向するケース上面反対位置に第２の試験孔を設け、該第２の試験孔の底部に下段側接続端子と電気的に接続した試験用端子金具を配置し、ケース背面には、分電盤の幹線部とその幹線から分岐した分岐部とからなる銅バーの分岐部を挿入可能な端子状凹部を設けた回路遮断器。
【請求項２】
上段に電源側接続端子、下段に負荷側接続端子を配置し、試験用端子金具を、負荷側接続端子と可動接触子を接続する導線の途中に接続した請求項１記載の回路遮断器。
【請求項３】
試験用端子金具が、負荷側接続端子と可動接触子の間に配置したバイメタル片に接続されて成る請求項２記載の回路遮断器。
【請求項４】
電源側接続端子及び負荷側接続端子に、電線を把持する弾性部材と、弾性部材による電線の把持を解除する解除部材とを夫々設け、両方の解除部材の操作部をケース外面に露出させた請求項１乃至３の何れかに記載の回路遮断器。
【発明の詳細な説明】
【０００１】
【発明の属する技術分野】
本発明は、分電盤等に内装される回路遮断器に関する。
【０００２】
【従来の技術】
従来、図６に示すように、電源側接続端子１１０及び負荷側接続端子１１１をケース１０３の両側に設けた回路遮断器１０２が知られている。この回路遮断器１０２は、例えば、図７に示すような分電盤１００において、主幹ブレーカ１０１の横に上下左右に多数個並べて内装されていた。
【０００３】
【発明が解決しようとする課題】
しかし、従来の回路遮断器１０２によると、電源入力線１２０及び負荷出力線１２１の引出し方向が対向配置されるため、広い配線スペースが必要になり、配線の引き回しが複雑化し、これらが分電盤のレイアウトを制約するという問題点があった。特に、幹線部とその幹線から分岐した分岐部とからなる銅バー１２３を備えた分電盤１００において、非常灯や補助電源用等の一次送り回路を追加する場合に、銅バー１２３の分岐部の一部（図７の破線部）を削除して盤構造を変更したり、電線１２２を癖付けして引き回すなどの作業が面倒であった。
【０００４】
こうした問題に鑑み、本発明に係る請求項１の課題は、電源側接続端子及び負荷側接続端子をケースの同一面に配置することにより、電源入力線及び負荷出力線の引出し方向を統一して、分電盤等のレイアウト上の自由度を向上できる回路遮断器を提供することにある。
更に、本発明に係る請求項２の課題は、上述するように、電源側、負荷側双方の接続端子がケースの同一面に配置された回路遮断器であっても、動作試験等の試験作業を簡易に実施可能な回路遮断器を提供することにある。
【０００５】
【課題を解決するための手段】
請求項１の発明による回路遮断器は、分電盤等に内装される回路遮断器において、ケース上面に操作ハンドルを配置し、電源側接続端子及び負荷側接続端子を前記ケース正面の上段及び下段に分けて夫々集中配置し、上段の接続端子上方のケース上面に上段の端子金具まで貫通した第１の試験孔を設けると共に、操作ハンドルを中心に前記試験孔に対向するケース上面反対位置に第２の試験孔を設け、該第２の試験孔の底部に下段側接続端子と電気的に接続した試験用端子金具を配置し、ケース背面には、分電盤の幹線部とその幹線から分岐した分岐部とからなる銅バーの分岐部を挿入可能な端子状凹部を設けて構成される。
【０００７】
請求項２の発明による回路遮断器は、上段に電源側接続端子、下段に負荷側接続端子を配置し、試験用端子金具を、負荷側接続端子と可動接触子を接続する導線の途中に接続して構成される。
【０００８】
請求項３の発明による回路遮断器は、試験用端子金具が、負荷側接続端子と可動接触子の間に配置したバイメタル片に接続されて構成される。
【０００９】
請求項４の発明による回路遮断器は、電源側接続端子及び負荷側接続端子に、電線を把持する弾性部材と、弾性部材による電線の把持を解除する解除部材とを夫々設け、両方の解除部材の操作部をケース外面に露出させて構成される。
【００１１】
【発明の実施の形態】
以下に、本発明の実施の形態を図面に基づいて説明する。図１及び図２は本発明に係る回路遮断器の一実施形態を示すものである。本回路遮断器１ａにおいて、ケース１の内部には、接続線路に大きな瞬時電流が流れた場合に可動接触子５と固定接触子６とを開離するリンク式の引外し機構１９が備えられている。ケース１の上面略中央には引外し機構１９を操作して接続線路をオン／オフする操作ハンドル４が突設されている。
【００１２】
電源側接続端子２と負荷側接続端子３はケース１正面に集中配置されている。各接続端子２，３は、ケース１正面の上段と下段に分けて設けられた電源線挿入口２ａ及び負荷線挿入口３ａと、夫々の内部に設けられた電源線接続機構部２ｂ及び負荷線接続機構部３ｂとで構成されている。電源線接続機構部２ｂは、端子金具２ｃと、端子金具２ｃとともに電線を把持する弾性部材としての圧接バネ２２と、圧接バネ２２による電源入力線２０の把持を解除する解除部材としてのレバー７ａとから構成されている。レバー７ａを操作する操作部である解除ボタン７は、ケース１の上面に露出している。負荷線接続機構部３ｂにも同様の端子金具３ｃ、圧接バネ２２及びレバー８ａが設けられ、レバー８ａの解除ボタン８はケース１の正面に露出している。
【００１３】
解除ボタン７，８は電源線挿入口２ａ側と負荷線挿入口３ａ側に倒し込み可能に夫々設けられている。また電源線側接続端子２の端子金具２ｃは固定接触子６に接続され、負荷側接続端子３の端子金具３ｃは可撓導線１２により可動接触子５に連結されている。
【００１４】
図２に示すように、電源線挿入口２ａから挿入された電源入力線２０は、圧接バネ２２の弾性力により上方へ押圧され、端子金具２ｃと圧接バネ２２とにより把持される（挿入完了状態）。また解除ボタン７を電源線挿入口２ａ側に倒し込むことによって、圧接バネ２２がレバー７ａにより押し下げられ、電源入力線２０は端子金具２ｃと圧接バネ２２との把持から解除される（抜取可能状態）。負荷出力線２１についても同様に挿抜操作される。このように電源側接続端子２及び負荷側接続端子３は、電源入力線２０及び負荷出力線２１を挿入するだけで接続が完了可能な速結端子として形成されている。また解除ボタン７，８を挿入口２ａ，３ａ側に倒し込むだけの簡単な操作により、電源入力線２０及び負荷出力線２１を電源側接続端子２及び負荷側接続端子３から抜き取ることが可能となる。
【００１５】
一方、ケース１の背面には、分電盤の幹線部とその幹線から分岐した分岐部とからなる銅バーの分岐部を挿入可能な端子状の凹部１４が設けられている。本回路遮断器１ａは、分電盤１００の一次送り回路に使用する場合に、銅バー１２３の分岐部を削除することなく実装できるようになっている。
【００１６】
この実施形態の回路遮断器１ａによれば、ケース１の正面に接続端子２，３を集中配置したので、電源入力線２０及び負荷出力線２１の引出し方向を１つに統一することができる。したがって、配線スペースを縮小でき、配線の引き回しを簡略化でき、もって配線による種々の制約を緩和して、分電盤のレイアウト上の自由度を向上させることができる。
【００１７】
さらに、本回路遮断器１ａを銅バー１２３を備えた分電盤１００に内装する場合、銅バー１２３の分岐部に凹部１４を挿入して配置することにより、盤構造を変更することなく、一次送り回路用遮断器として機能させることができる。また各接続端子２，３を挿入口２ａ，３ａと電線接続機構部２ｂ，３ｂとで構成し、電線接続機構部２ｂ，３ｂに圧接バネ２２とレバー７ａ，８ａとを設けたので、電源入力線２０及び負荷出力線２１を夫々の接続端子２，３に対して簡単に挿抜できる利点もある。
【００１８】
次に、ケース１の上面には、上段の電源側接続端子２の端子金具２ｃまで貫通形成された電源側の試験孔９（第１の試験孔）が設けられている。そして、操作ハンドル４を中心に電源側の試験孔９に対向するケース１の上面反対側に第２の試験孔１０が設けられている。この試験孔１０の底部には試験用端子金具１３が配置され、ケース１の上面から金具１３にプローブ等を接続可能となっている。試験用端子金具１３は矩形に折り曲げて形成され、下端部が負荷側接続端子３と可動接触子５を接続している可撓導線１２の途中にスポット溶接により接続されている。
【００１９】
試験用端子金具１３をこのように設けることで、試験用端子金具１３は可撓導線１２を介して確実に負荷側接続端子３に接続されるので、疑似負荷側接続端子として扱うことができる。従って、ケース１の上面に設けた電源側接続端子２に接続可能な第１の試験孔９と、負荷側接続端子３の代わりに利用可能な第２の試験孔１０とを利用して、端子間の動作試験等を行なうことができ、各接続端子２，３に直接プローブ等を挿入操作する必要が無くなり、試験作業を簡易に実施できる。
【００２０】
また、試験孔を使用することで製造工程や施工過程で挿入口２ａ，３ａを使用しないので、接続端子２，３に設けられた圧接バネ２２やレバー７ａ，８ａ等に外力が加わることがなくなり、電線接続に対する端子の品質が低下することがない。更に、元々組付けられている可撓導線１２を利用して試験用端子金具１３を接続するので、新たに接続線を組付ける必要もない。
【００２１】
図３、図４は本発明に係る回路遮断器の他の形態を示し、電源側接続端子と可動接触子がバイメタル片を介して接続されている場合を示している。上記実施の形態との相違点を説明すると、図３ではバイメタル片１５の下端部を負荷側接続端子３からの可撓導線１６と試験用端子金具１３とで挟み込むように試験用端子金具１３を溶接接続している。また、図４では試験用端子金具１３を直接バイメタル片１５に接続せずに可撓導線１７を介して接続している。尚、図３において、矢印は試験孔を利用した際の電流通路を示している。
【００２２】
このようにバイメタル片１５が介在される場合は、可動接触子５と試験用端子金具１３の間にバイメタル片１５が介在されるように接続すれば良く、こうすることで第１の試験孔９と第２の試験孔１０の間に通電することでバイメタル片１５に通電することができ、過電流調整・確認を行なうことができる。
【００２３】
図５は本発明に係る回路遮断器のさらに別の形態を示す。本遮断器１ｂにおいては、電源側接続端子２のレバー７ａの解除ボタン７がケース１の片側面に露出し、負荷側接続端子３のレバー８ａと同じ面で操作できるようになっている。その他の構成及び作用効果は図１の遮断器１ａと同様である。
【００２４】
尚、本発明は上記実施形態に限定されるものではなく、以下に例示するように、本発明の趣旨を逸脱しない範囲で各部の形状並びに構成を適宜に変更して実施することも可能である。
（１）電源側接続端子を下段に、負荷側接続端子を上段に配置して回路遮断器を構成すること。この場合には、負荷側接続端子の上方に試験孔を設け、電源側接続端子と固定接点との間に例えば可撓導線を配置して、その可撓導線に試験用端子金具を接続すればよい。
（２）ネジ式の電源側接続端子及び負荷側接続端子をケースの正面に集中配置すること。
（３）入出力線の接続端子をケース長手側片面に集中配置すること。
【００２５】
【発明の効果】
以上詳述したように、請求項１の発明によれば、ケースの正面に電源側接続端子と負荷側接続端子とを集中配置したので、入出力線の引出し方向を統一でき、配線による種々の制約を緩和して分電盤等のレイアウト上の自由度を向上できる。
【００２６】
また請求項１の発明によれば、電源側，負荷側双方の接続端子の試験孔をケース上面に設けたので、各挿入口に直接プローブ等を挿入操作する必要がなく、ケース正面に接続端子を集中配置しても動作試験等の試験作業を簡易に実施できる。また、製造や施工過程で接続端子に外力が加わることがないので、電線接続に対する端子の品質が低下することがない。さらにケース背面には、分電盤の幹線部とその幹線から分岐した分岐部とからなる銅バーの分岐部を挿入可能な端子状凹部を設けたので、銅バーを備えた分電盤に本回路遮断器を内装する場合、凹部にその銅バーを挿入して内装すれば、盤構造を変更することなく、本回路遮断器をその分電盤の一次送り回路に使用することができる。
【００２７】
請求項２，３の発明によれば、請求項１の効果に加えて、元々組付けられている導線或いは部材を利用して試験用端子金具を接続するので、接続線等の新たな部材を組付ける必要がない。
【００２８】
請求項４の発明によれば、請求項１〜３の効果に加えて、電源側接続端子及び負荷側接続端子に弾性部材と解除部材とを夫々設けたので、電線を簡単に挿抜することができる。
【図面の簡単な説明】
【図１】本発明に係る回路遮断器の一例を示し、（ａ）は平面図、（ｂ）は正面図、（ｃ）は内部構成を示す側面説明図である。
【図２】図１の回路遮断器の要部を拡大した側面説明図である。
【図３】本発明の他の形態を示す回路遮断器の内部構成を示す側面説明図である。
【図４】本発明の他の形態を示す回路遮断器の内部構成を示す側面説明図である。
【図５】本発明に係る回路遮断器のさらに他の形態を示し、（ａ）は正面図、（ｂ）は内部構成を示す側面説明図である。
【図６】従来の回路遮断器の構成説明図である。
【図７】従来の回路遮断器を内装した分電盤の外観図である。
【符号の説明】
１・・ケース、１ａ，１ｂ・・回路遮断器、２・・電源側接続端子、２ａ・・電源線挿入口、２ｃ・・端子金具、３・・負荷側接続端子、３ａ・・負荷線挿入口、３ｃ・・端子金具、４・・操作ハンドル、５・・可動接触子、７，８・・解除ボタン、７ａ，８ａ・・レバー、９・・第１の試験孔、１０・・第２の試験孔、１２・・可撓導線、１３・・試験用端子金具、１４・・凹部、１５・・バイメタル片、１６，１７・・可撓導線、２２・・圧接バネ、１２３・・銅バー。
【図１】
0003819739.tif 000002
【図２】
0003819739.tif 000003
【図３】
0003819739.tif 000004
【図４】
0003819739.tif 000005
【図５】
0003819739.tif 000006
【図６】
0003819739.tif 000007
【図７】
0003819739.tif 000008